(57)【要約】【課題】  框または枠のガラス溝の周辺からの延焼を防止できる建具の提供。【解決手段】  複層ガラス２１と、框１６ａ，１６ｂ，１７ａ，１７ｂ，１８ａ，１８ｂ，１９ａ，１９ｂまたは枠のガラス溝２０内に設けた断面コ字状で長尺の補強材３１とを備え、補強材３１は框１６ａ，１６ｂ，１７ａ，１７ｂ，１８ａ，１８ｂ，１９ａ，１９ｂまたは枠の金属部分に固定してあると共に、補強材３１の外側面とガラス溝２０の金属部分との間に火災の熱により発泡する耐火材３４ｂ，３４ｃを設けた。【選択図】      図４
2015057540.tif 000002
【特許請求の範囲】
【請求項１】
複層ガラスと、框または枠のガラス溝内に設けた断面コ字状で長尺の補強材とを備え、補強材は框または枠の金属部分に固定してあると共に、補強材の外側面とガラス溝の金属部分との間に火災の熱により発泡する耐火材を設けたことを特徴とする建具。
【発明の詳細な説明】
【技術分野】
【０００１】
本発明は、框または枠のガラス溝内に複層ガラスを保持した建具に関する。
【背景技術】
【０００２】
従来の建具は、框または枠のガラス溝内にグレチャンを介して複層ガラスを嵌め込んでいる（例えば、特許文献１参照。）。かかる建具では、火災時にグレチャンが切れてガラス溝と複層ガラスの間に隙間ができ、その隙間から火炎や熱風などが侵入し、延焼に繋がるおそれがあった。
【先行技術文献】
【特許文献】
【０００３】
【特許文献１】特開平１０−３１７８０５号公報
【発明の概要】
【発明が解決しようとする課題】
【０００４】
本発明は以上に述べた実情に鑑み、框または枠のガラス溝の周辺からの延焼を防止できる建具の提供を目的とする。
【課題を解決するための手段】
【０００５】
上記の課題を達成するために請求項１記載の発明による建具は、複層ガラスと、框または枠のガラス溝内に設けた断面コ字状で長尺の補強材とを備え、補強材は框または枠の金属部分に固定してあると共に、補強材の外側面とガラス溝の金属部分との間に火災の熱により発泡する耐火材を設けたことを特徴とする。
【発明の効果】
【０００６】
請求項１記載の発明による建具は、框または枠のガラス溝内に断面コ字状で長尺の補強材を設け、補強材を框または枠の金属部分に固定してあると共に、補強材の外側面とガラス溝の金属部分との間に火災の熱により発泡する耐火材を設けたことで、火災時に火災の熱で発泡した耐火材がガラス溝の金属部分と補強材との間の隙間を塞ぐため、ガラス溝の周辺からの延焼を防止できる。さらに、框または枠のガラス溝の室外側や室内側の壁が火災により消失したとしても、補強材によりガラスの脱落を防止できる。
【図面の簡単な説明】
【０００７】
【図１】本発明の建具の一実施形態に係る引違いサッシを示す縦断面図である。
【図２】同サッシの横断面図である。
【図３】同サッシの室内側正面図である。
【図４】外障子の下框を拡大して示す縦断面図である。
【図５】外障子の上框を金属框と樹脂カバーとに分離して示す斜視図である。
【図６】外障子の下框を金属框と樹脂カバーとに分離して示す斜視図である。
【図７】外障子の戸先框を金属框と樹脂カバーとに分離して示す斜視図である。
【図８】火災時における外障子下框の縦断面図であって、（ａ）はグレチャンが切れた箇所を示し、（ｂ）はグレチャンが切れ且つ室外側のガラスが割れた箇所を示す。
【図９】引違いサッシ用の障子の他の実施形態を示す縦断面図である。
【図１０】同障子の下框の火災時の状態を示す縦断面図であって、グレチャンが切れた箇所を示している。
【図１１】本発明の建具の他の実施形態に係る外倒し窓を示すサッシ下部側の縦断面図である。
【図１２】本発明の建具の他の実施形態に係る勝手口ドアの室内側正面図である。
【図１３】同ドアの縦断面図である。
【図１４】同ドアの横断面図である。
【図１５】火災時におけるドア下部の縦断面図である。
【発明を実施するための形態】
【０００８】
以下、本発明の実施の形態を図面に基づいて説明する。図１〜３は、本発明の建具の一実施形態に係る引違いサッシを示している。本サッシは、躯体開口部に取付けた枠１と、枠１内に引違い状に開閉自在に収めた外障子２及び内障子３を備えている。
【０００９】
枠１は、上枠４と下枠５と左右の竪枠６，６とを四方枠組みして構成される。
下枠５は、図１に示すように、アルミニウム合金の押出形材で形成した室外側下枠材５ａと室内側下枠材５ｂとを、ウレタン樹脂よりなる断熱材７で連結した構造になっている。室内側下枠材５ｂの上部には、樹脂製のアングル８が取付けてある。このように下枠５は、断熱材７と樹脂製アングル８により、室内側の結露を防止している。下枠５の上面は略フラットに形成され、外障子２を案内する外レール９と内障子３を案内する内レール１０とが、同一高さで上方に突出して形成されている。外レール９と内レール１０間には、樹脂製のカバー１１が設置してある。
上枠４は、図１に示すように、アルミニウム合金の押出形材よりなる室外側上枠材４ａと室内側上枠材４ｂとを樹脂製の断熱材１２にカシメ連結してあり、室内側上枠材４ｂに樹脂製のアングル１３を係合取付けし、内外レール９，１０間に樹脂製のカバー１４を係合取付けすることで、室内側の結露を防止している。
竪枠６は、図２に示すように、アルミニウム合金の押出形材で一体成型し、室内側の内周部を樹脂製のアングル１５で覆ってある。
【００１０】
外障子２と内障子３は、図１，２に示すように、上框１６ａ，１６ｂと下框１７ａ，１７ｂと戸先框１８ａ，１８ｂと召し合せ框１９ａ，１９ｂを四周框組みし、各框の内周側に形成されたガラス溝２０内に複層ガラス２１をグレチャン２２を介して嵌め込んで取付けてある。複層ガラス２１は、二枚のガラス２３ａ，２３ｂの間に金属製のスペーサー２４を挟み、シール材２５で接着して構成され、室内側のガラス２３ｂは金属の網入りのガラスになっている。グレチャン２２は、焼結シリコンゴムで形成されており、火災時でも燃えないものとなっている。
【００１１】
外障子２の上框１６ａは、図１に示すように、室外側に配置された金属框２６ａと室内側に配置された樹脂カバー２７ａとでガラス溝２０が構成されている。金属框２６ａは、室内側面の内周側と外周側の２箇所に樹脂カバー２７ａを取付けるための係合部２８ａ，２８ｂが長手方向に沿って形成されており、樹脂カバー２７ａはその係合部２８ａ，２８ｂと係合する被係合部２９ａ，２９ｂが長手方向に沿って形成されている。金属框２６ａの外周側の係合部２８ｂは、図５に示すように、左右両端から所定の長さＬだけ切除してある。したがって樹脂カバー２７ａは、左右両端部では２箇所ある被係合部２９ａ，２９ｂのうち内周側の被係合部２９ａだけしか係合していないため、左右両端部が中間部に比較して外れやすくなっている。内障子３の上框１６ｂも、外障子２の上框１６ａと同様に構成されている。
外障子２の下框１７ａも、図１に示すように、室外側に配置された金属框２６ｂと室内側に配置された樹脂カバー２７ｂとでガラス溝２０が構成されている。金属框２６ｂは、室内側面の内周側と外周側の２箇所に樹脂カバー２７ｂを取付けるための係合部２８ａ，２８ｂが長手方向に沿って形成されており、樹脂カバー２７ｂはその係合部２８ａ，２８ｂと係合する被係合部２９ａ，２９ｂが長手方向に沿って形成されている。樹脂カバー２７ｂの内周側の被係合部２９ａは、図６に示すように、左右両端から所定の長さＬだけ切除してある。したがって樹脂カバー２７ｂは、左右両端部では２箇所ある被係合部２９ａ，２９ｂのうち外周側の被係合部２９ｂだけしか係合していないため、左右両端部が中間部に比較して外れやすくなっている。内障子３の下框１７ｂも、外障子２の下框１７ａと同様に構成されている。
外障子２の戸先框１８ａは、図２に示すように、室外側に配置された金属框２６ｃと室内側に配置された樹脂カバー２７ｃとでガラス溝２０が構成されている。金属框２６ｃは、室内側面の内周側と外周側の２箇所に樹脂カバー２７ｃを取付けるための係合部２８ａ，２８ｂが長手方向に沿って形成されており、樹脂カバー２７ｃはその係合部２８ａ，２８ｂと係合する被係合部２９ａ，２９ｂが長手方向に沿って形成されている。金属框２６ｃの外周側の係合部２８ｂは、図７に示すように、上端から所定の長さＬだけ切除してある。したがって樹脂カバー２７ｃは、上端部では２箇所ある被係合部２９ａ，２９ｂのうち内周側の被係合部２９ａだけしか係合していないため、上端部が他の部分に比較して外れやすくなっている。内障子３の戸先框１８ｂも、外障子２の戸先框１８ａと同様に構成されている。
内障子３の召合せ框１９ｂは、図２に示すように、ガラス溝２０を有する金属框２６ｄと、金属框２６ｄの室内側面と外周側面を覆うように設けた樹脂カバー２７ｄとで構成してある。金属框２６ｄは、内周側と外周側の２箇所に樹脂カバー２７ｄを取付けるための係合部２８ａ，２８ｂが長手方向に沿って形成されており、樹脂カバー２７ｄはその係合部２８ａ，２８ｂと係合する被係合部２９ａ，２９ｂが長手方向に沿って形成されている。金属框２６ｄの外周側の係合部２８ｂは、戸先框１８ａ，１８ｂと同様に、上端から所定の長さＬだけ切除してある。したがって樹脂カバー２７ｄは、上端部では２箇所ある被係合部２９ａ，２９ｂのうち内周側の被係合部２９ａだけしか係合していないため、上端部が他の部分に比較して外れやすくなっている。外障子２の召合せ框１９ａは、金属框２６ｄのみで構成されている。
金属框２６ａ，２６ｂ，２６ｃ，２６ｄは、何れもアルミニウム合金の押出形材で形成してある。係合部２８ａ，２８ｂ及び被係合部２９ａ，２９ｂの切除長さＬは、何れも約１００ｍｍとしてある。
【００１２】
このように各樹脂カバー２７ａ，２７ｂ，２７ｃ，２７ｄは、框の長手方向端部において係合部２８ａ，２８ｂ又は被係合部２９ａ，２９ｂを切除することで端部が外れやすくなっており、火災が発生して金属框２６ａ，２６ｂ，２６ｃ，２６ｄに撓み等の変形が生じたり、係合部２８ａ，２８ｂや被係合部２９ａ，２９ｂが溶融したりすると、切除加工がされた係合部２８ａ，２８ｂ又は被係合部２９ａ，２９ｂの切り残したエッジの部分３０（図５〜７参照）に力が集中してかかるため、そこから係合が外れて樹脂カバー２７ａ，２７ｂ，２７ｃ，２７ｄは長手方向の端部より金属框２６ａ，２６ｂ，２６ｃ，２６ｄから剥離して脱落する。上框１６ａ，１６ｂと下框１７ａ，１７ｂの樹脂カバー２７ａ，２７ｂは、左右いずれかの端部から剥離し、戸先框１８ａ，１８ｂと召合せ框１９ｂの樹脂カバー２７ｃ，２７ｄは上端部から剥離する。このように、火災時に引火しやすい樹脂カバー２７ａ，２７ｂ，２７ｃ，２７ｄが剥離することで、延焼を防止する効果がある。
【００１３】
金属框２６ａ，２６ｂ，２６ｃ，２６ｄの係合部２８ａ，２８ｂと樹脂カバー２７ａ，２７ｂ，２７ｃ，２７ｄの被係合部２９ａ，２９ｂは、何れもガラス２３ｂよりも外周側に位置しているため、お互いの係り代を大きくすることができ、框の長手方向端部において係り代の大きい係合部２８ａ，２８ｂ・被係合部２９ａ，２９ｂのうちのうちの何れかを切除してあることで、火災時に樹脂カバー２７ａ，２７ｂ，２７ｃ，２７ｄが剥離しやすい。また室内側のガラス保持片（ガラス溝２０の室内側の壁）が樹脂カバー２７ａ，２７ｂ，２７ｃ，２７ｄだけで形成されており、金属框２６ａ，２６ｂ，２６ｃ，２６ｄと樹脂カバー２７ａ，２７ｂ，２７ｃ，２７ｄとの接触面積が小さいため、室内側の結露を防止する効果が高い。
内周側と外周側の係合部２８ａ，２８ｂ・被係合部２９ａ，２９ｂのうち、外周側の係合部２８ｂ・被係合部２９ｂを切除する方がより好ましい。内周側の係合部２８ａ・被係合部２９ａは、ガラス溝２０が広がろうとするのを抑えるために全長に亘って係合していた方がよく、また係り代の大きい外周側の係合部２８ｂ・被係合部２９ｂを切除することで、火災時に樹脂カバー２７ａ，２７ｂ，２７ｃ，２７ｄがより剥離しやくなるためである。
【００１４】
各框のガラス溝２０内には、図１，２，４に示すように、グレチャン２２の外側を囲むように金属の薄板を溝型に折り曲げて形成したガラス間口補強材３１がガラス溝２０の全長に亘って配置され、金属框２６ａ，２６ｂ，２６ｃ，２６ｄにビス３２で固定してある。さらに、下框１７ａ，１７ｂのガラス溝２０の底部には、図４に示すように、ガラス２３ａ，２３ｂのずり下がりを防ぐための下がり防止部材３３が配置してある。下がり防止部材３３は、金属の板をコ字型に折り曲げて形成したピース状の部材で、ガラス溝２０の底部に間隔をおいて配置してある。
このように、ガラス溝２０内に金属製のガラス間口補強材３１が設けてあることで、金属框２６ａ，２６ｂ，２６ｃ，２６ｄのガラス保持片（ガラス溝２０の室外側の壁）が火災の熱で溶融したり、上述のように樹脂カバー２７ａ，２７ｂ，２７ｃ，２７ｄが剥離したりしたとしても、ガラス２３ａ，２３ｂの脱落を防止できる。また、下框１７ａ，１７ｂのガラス溝２０の底部に金属製の下がり防止部材３３を配置してあるため、火災時でもガラス２３ａ，２３ｂのずり下がりを防止できる。
ガラス間口補強材３１と下がり防止部材３３の材質は、火災時に容易に溶融したり変形したりしない材質、ステンレスや鉄などの金属が好ましい。
【００１５】
さらに、各框のガラス溝２０内には、図１，２，４に示すように、グレチャン２２の内側面と複層ガラス２１の室外側の見付面との間の全長に、熱に反応して発泡・膨張する耐火材３４ａが設けてある。かかる熱発泡性の耐火材３４ａは、市販品の中から適宜選択して用いることができ、例えば積水化学工業株式会社製の商品名「フィブロック」を用いることができる。これは、プラスチック技術を活用した有機系耐火材であり、通常の状態では薄いシート状で、２００℃以上に加熱されると厚さ方向に５〜４０倍に膨張し、断熱層を形成する。火災時に消失することがなく、有害ガスが発生することもない。またフィブロックは、片面に剥離紙付きの接着層を有しているので、剥離紙を剥がして簡便に接着取付けできる。熱発泡性の耐火材３４ａは、グレチャン２２と複層ガラス２１の見付面の間に単に差し入れてもよいし、グレチャン２２の内側面若しくは複層ガラス２１の見付面に予め接着しておいてもよい。
【００１６】
火災時にはグレチャン２２が切れることがあり、本サッシの障子２，３は上述のようにグレチャン２２の内側面と複層ガラス２１の見付面の間に、ガラス溝２０の全長に亘って熱発泡性の耐火材３４ａが設けてあるため、図８（ａ）に示すように、グレチャン２２が切れて隙間ができても、この耐火材３４ａが火災の熱に反応して発泡・膨張し、グレチャン２２が切れることで生じたガラス溝２０内の隙間を塞ぐため、ガラス溝２０の周辺から火炎や煙等が室外から室内へ又は室内から室外へ侵入するのを阻止し、延焼を防止できる。
さらに、室外側のガラス２３ａは網入りでないため火災時に割れることがあるが、この網入りでない方の室外側のガラス２３ａの見付面とグレチャン２２の内側面との間に熱発泡性の耐火材３４ａが設けてあることで、このガラス２３ａが割れた場合であっても、図８（ｂ）に示すように、耐火材３４ａが膨張してガラス溝２０内の隙間を塞ぐため、ガラス溝２０の周辺からの火炎等の侵入を防止でき、尚且つ膨張した耐火材３４ａがスペーサー２４を室内側に向けて押すことで、網入りの室内側のガラス２３ｂがガラス溝２０ないしガラス間口補強材３１の室内側の壁に向けて押し付けられるため、網入りのガラス２３ｂのがたつきや脱落を阻止できる。
【００１７】
また本サッシの障子２，３は、図１，２，４に示すように、ガラス間口補強材３１の外側面の全長にも熱発泡性の耐火材３４ｂが設けてあり、火災時には図８（ａ），（ｂ）に示すように、この耐火材３４ｂが発泡・膨張してガラス間口補強材３１とガラス溝２０との間の隙間を塞ぎ、火炎等の侵入を阻止する。さらに、下框１７ａ，１７ｂのガラス溝２０内に配置される下がり防止部材３３の下面の両端部にも熱発泡性の耐火材３４ｃが設けてあり、火災時にこの耐火材３４ｃが発泡・膨張することで、下がり防止部材３３の内部を通じて火炎等が侵入することも阻止している。
【００１８】
戸先框１８ａ，１８ｂと召し合せ框１９ａ，１９ｂは、図２に示すように中空部３５を有しており、中空部３５内にはコ字形断面の補強材３６が長手方向のほぼ全長にわたって配置され、長手方向に所定のピッチでネジにより固定してある。補強材３６は、高耐食溶融メッキ鋼板を折り曲げて形成している。このように補強材３６を設けることで、火災時における戸先框１８ａ，１８ｂと召し合せ框１９ａ，１９ｂの熱伸びとたわみを防止できる。
さらに、戸先框１８ａ，１８ｂと召し合せ框１９ａ，１９ｂの長手方向中間部には、中空部３５内に補強材３６に係合して金属製の塞ぎ板３８が設けてある。戸先框１８ａ，１８ｂと召合せ框１９ａ，１９ｂの上端部には樹脂部品が取付けてあり、火災時にはそれらの樹脂部品が溶融して中空部３５内に落ちるが、塞ぎ板３８がその溶融した樹脂を受け止めて保持することで、溶融した樹脂が框の下端部や下枠上面等に溜まり引火するのを防止できる。
図１に示すように、外障子２の下框１７ａの中空部内にも補強材３６を設けてある。
【００１９】
また下框１７ａ，１７ｂは、図１，４に示すように、外周側にレール９，１０を呑み込む溝３９が形成してあり、溝３９の下縁に沿ってタイト材４０が設けてあり、タイト材４０の上方に熱発泡性の耐火材３４ｄが設けてある。耐火材３４ｄは、下框１７ａ，１７ｂの全長に連続して設けてある。火災時には、図８に示すように、耐火材３４ｄが膨張して下框１７ａ，１７ｂとレール９，１０間の隙間を塞ぐ。タイト材４０は、焼結クロロプレンゴムで形成されており、火災時でも燃えないものとなっている。上框１６ａ，１６ｂも、外周側にレール９，１０を呑み込む溝３９が形成してあり、その溝３９の室内側の側面に熱発泡性の耐火材３４ｅが設けてあり、火災時にはこの耐火材３４ｅが発泡・膨張して溝３９内の隙間を塞ぐ。さらに、図１に示すように、上枠４の下面にも熱発泡性の耐火材３４ｈが設けてあり、火災時にはこの耐火材３４ｈが発泡・膨張し、上枠４の下面と障子２，３間の隙間を遮蔽する。
戸先框１８ａ，１８ｂは、図２に示すように、外周側に竪枠６の突条４１を呑み込む溝４２が形成してあり、その溝４２の底面に熱発泡性の耐火材３４ｆが戸先框１８ａ，１８ｂの全長に連続して設けてあり、火災時にはこの耐火材３４ｆが発泡して膨張し、竪枠６と戸先框１８ａ，１８ｂ間の隙間を塞ぐ。
外障子２の召し合せ框１９ａの室内側面には、煙返しの近傍と内周側の縁部とに熱発泡性の耐火材３４ｇが召し合せ框１９ａの全長に連続して設けてあり、火災時にはこの耐火材３４ｇが発泡して膨張し、内外障子の召し合せ框１９ａ，１９ｂ間の隙間を塞ぐ。
このように本サッシは、火災時に下框１７ａ，１７ｂ及び上框１６ａ，１６ｂとレール９，１０との隙間、上枠４の下面と障子２，３間の隙間、戸先框１８ａ，１８ｂと竪枠６の隙間、内外障子の召し合せ框１９ａ，１９ｂの隙間が、耐火材３４ｄ，３４ｅ，３４ｆ，３４ｇ，３４ｈによってそれぞれ塞がれるので、上下框１６ａ，１６ｂ，１７ａ，１７ｂと上下枠４，５間、戸先框１８ａ，１８ｂと竪枠６間、及び内外障子の召し合せ框１９ａ，１９ｂ間から、火炎や煙等が室外から室内へ又は室内から室外へ侵入するのを防ぎ、防火性能を向上できる。
【００２０】
図９は、引違いサッシ用の障子（外障子２）の他の実施形態を示している。本実施形態では、ガラス溝２０内に配置されたグレチャン２２の外側面とガラス間口補強材３１の内側面（いずれも見込面）との間の室内側寄りの位置に、熱発泡性の耐火材３４ａを設けている。複層ガラス２１は、室外側のガラス２３ａが網入りガラスになっている。
本実施形態の障子２は、火災時にグレチャン２２が切れたとしても、図１０に示すように、熱発泡性の耐火材３４ａが火災の熱に反応して発泡・膨張し、ガラス２３ａ，２３ｂとガラス間口補強材３１との間の隙間を塞ぐため、ガラス溝２０の周辺からの火炎等の侵入を防止できる。なお熱発泡性の耐火材３４ａは、グレチャン２２の外側面とガラス間口補強材３１の内側面のうち見付面側に設けることもでき、その場合に室外側と室内側のどちらかに設けてもよいし、室外側と室内側の両方に設けてもよい。
【００２１】
以上に述べたように本サッシは、障子２，３の框１６ａ，１６ｂ，１７ａ，１７ｂ，１８ａ，１８ｂ，１９ｂの長手方向端部において、金属框２６ａ，２６ｂ，２６ｃ，２６ｄの係合部２８ａ，２８ｂ又は樹脂カバー２７ａ，２７ｂ，２７ｃ，２７ｄの被係合部２９ａ，２９ｂのいずれかを切除したことで、火災時に樹脂カバー２７ａ，２７ｂ，２７ｃ，２７ｄが長手方向端部より剥離し、火災時に引火しやすい樹脂カバー２７ａ，２７ｂ，２７ｃ，２７ｄが剥離することで、延焼を防止する効果がある。
また、各框のガラス溝２０内には、グレチャン２２の内側面と複層ガラス２１の見付面の間、若しくはグレチャン２２の外側面とガラス間口補強材３１の内側面との間に、長手方向に沿って熱に反応して発泡・膨張する耐火材３４ａが設けてあることで、火災時にグレチャン２２が切れたとしても、耐火材３４ａが発泡・膨張してガラス溝２０内の隙間を塞ぐため、ガラス溝２０の周辺から火炎や煙等が室外から室内へ又は室内から室外へ侵入するのを阻止し、延焼を防止できる。ガラス溝２０内にステンレス製のガラス間口補強材３１が設けてあるので、金属框２６ａ，２６ｂ，２６ｃ，２６ｄのガラス保持片（ガラス溝２０の室外側の壁）が火災の熱で溶融したり、樹脂カバー２７ａ，２７ｂ，２７ｃ，２７ｄが剥離したりしたとしても、ガラス２３ａ，２３ｂの脱落を防止できる。
さらに、障子２，３の上下框１６ａ，１６ｂ，１７ａ，１７ｂと戸先框１８ａ，１８ｂの外周側に形成された溝３９，４２内と、外障子２の召し合せ框１９ａの室内側面にも、熱発泡性の耐火材３４ｄ，３４ｅ，３４ｆ，３４ｇが設けてあり、火災時にこれらの耐火材３４ｄ，３４ｅ，３４ｆ，３４ｇが発泡・膨張し、障子２，３の周囲と枠１との隙間、内外障子の召合せ框１９ａ，１９ｂ間の隙間が塞がれるため、障子２，３の周囲と枠１の間や内外障子の召合せ框１９ａ，１９ｂの間から火炎等が侵入するのを阻止し、防火性能を向上できる。
【００２２】
図１１は、本発明の建具の他の実施形態であって、内倒し窓の下枠５側の部分を示している。障子４３は、下框４４の外周側面に形成した凹部４５を下枠５の円弧上の突条４６に係合し、室内側に回動して開くように下枠５に連結されている。下框４４は、アルミニウム合金の押出形材よりなる室外側形材４４ａと室内側形材４４ｂを樹脂製の断熱材４７で連結した断熱形材４８で構成され、断熱形材４８は内周側にガラス溝２０を有し、ガラス溝２０内にグレチャン２２を介して複層ガラス２１を嵌め込んでいる。
断熱形材４８は、室内側面の内周側と外周側に長手方向に沿って係合部２８ａ，２８ｂを有し、この係合部２８ａ，２８ｂに被係合部２９ａ，２９ｂを係合して樹脂カバー４９が取付けてある。このように、ガラス溝２０が金属框（室外側形材４４ａ、室内側形材４４ｂ）により形成されたものでも、下框４４の長手方向端部において係合部２８ａ，２８ｂ又は被係合部２９ａ，２９ｂのうちの何れかを１００ｍｍ程度の長さ切除しておくことで、火災時に樹脂カバー４９を剥離させることができる。
また本実施形態においても、先に説明した引違いサッシの障子２，３と同様に、ガラス溝２０内にステンレス製のガラス間口補強材を３１設けることができ、グレチャン２２の内側面と複層ガラス２１の見付面との間や、グレチャン２２の外側面とガラス間口補強材３１の内側面との間に熱発泡性の耐火材３４ａを設けることで、火災時にグレチャン２２が切れてもガラス溝２０の周辺から火炎等が侵入するのを防止できる。
【００２３】
図１２〜１４は、本発明の建具の他の実施形態であって、勝手口ドアに適用した場合を示している。本ドアは、躯体開口部に取付けられる枠１と、枠１に蝶番５１で開閉自在に取付けた戸５０とを備える。
枠１は、上枠４と下枠５と左右の竪枠６，６を四周枠組みして構成してあり、図１３，１４に示すように、室内側寄りの位置に戸５０の周縁部室内側面に当接するタイト材５２を備えている。タイト材５２は、焼結クロロプレンゴムよりなる不燃性タイト材となっている。さらに枠１は、タイト材５２の周囲を囲むように、内周側見込面１ａに熱発泡性の耐火材５３を設けている。
戸５０は、上框１６と下框１７と吊元框５４と戸先框１８とを四周框組みし、その内側に複層ガラス２１を納めて構成してある。戸５０は、図１２に示すように、戸先框１８の上下方向の中間部にハンドル５６と上下二つの錠５７ａ，５７ｂが設けてある。戸５０の外周側見込面５０ａには、図１３，１４に示すように、熱発泡性の耐火材５５が長手方向に沿って設けてある。上枠４と上框１６間には、ドアクローザー５８が設けてある。
【００２４】
戸５０の上框１６と下框１７と吊元框５４と戸先框１８は、図１３，１４に示すように、アルミニウム合金の押出形材よりなる金属框５９と、金属框５９の室内側面に係合取付けした樹脂カバー６０とを備え、金属框５９と樹脂カバー６０とで内周側に開口したガラス溝２０を構成し、ガラス溝２０にグレチャン２２を介して複層ガラス２１の端部を嵌め込んでいる。グレチャン２２は、焼結シリコンゴムで形成されており、火災時でも燃えないものとなっている。
各框１６，１７，１８，５４のガラス溝２０内には、グレチャン２２の外側を囲むようにステンレスの薄板を溝型に折り曲げて形成したガラス間口補強材３１がガラス溝２０の全長に亘って配置され、金属框５９にビス３２で固定してある。さらに、グレチャン２２の外側面とガラス間口補強材３１の内側面（いずれも見込面）との間の室内側寄りの位置に、長手方向に沿って熱発泡性の耐火材６１を設けている。
金属框５９の中空部内には、コ字形断面の補強材３６が長手方向のほぼ全長にわたって配置され、長手方向に所定のピッチでネジにより固定してある。補強材３６は、高耐食溶融メッキ鋼板を折り曲げて形成している。このように補強材３６を設けることで、火災時における各框１６，１７，１８，５４の熱伸びとたわみを防止できる。
樹脂カバー６０は、先に説明した引違いサッシの場合と同様に、係合部２８ａ，２８ｂと被係合部２９ａ，２９ｂの何れかの長手方向端部を切除しておくことで、火災時に剥離しやすくすることができる。
【００２５】
さらに上框１６と下框１７は、図１３に示すように、外周側見込面に金属製補助材６２が長手方向に沿って取付けてある。金属製補助材６２は、ステンレスの板を折り曲げて形成したものであり、金属框５９にネジ６３で固定される固定部６４と、樹脂カバー６０の室内側見付面上に延出する延出部６５を有しており、延出部６５に上枠４と下枠５のタイト材５２が当接している。金属製補助材６２には、見込面に熱発泡性の耐火材５５，６６が長手方向に沿って設けてある。
【００２６】
本ドアは、戸５０のガラス溝２０内に金属製のガラス間口補強材３１が設けてあることで、図１５に示すように、火災時に樹脂カバー６０が無くなったとしても、複層ガラス２１が脱落するのを防止できる。また、グレチャン２２とガラス間口補強材３１との間に熱発泡性の耐火材６１が介在しているため、火災時にグレチャン２２に亀裂が生じたとしても、発泡した耐火材６１がグレチャン２２の隙間が生じた部分を埋めるため、グレチャン２２の亀裂が生じた部分から火炎や煙等が侵入するのを阻止できる。
また本ドアは、戸５０の見込面５０ａに熱発泡性の耐火材５５が長手方向に沿って設けてあり、火災時にはこの耐火材５５が発泡して枠１と戸５０の見込面１ａ，５０ａ間の隙間を塞ぎ、火炎や煙等の侵入を阻止する。
さらに本ドアは、上框１６と下框１７の見込面に金属製補助材６２が取付けてあり、金属製補助材６２は樹脂カバー６０の室内側見付面上に延出する延出部６５を有し、延出部６５に上枠４と下枠５のタイト材５２が当接するようにしたので、図１５に示すように、火災時に樹脂カバー６０が焼失したり剥離したりして無くなったとしても、上下框１６，１７と上下枠４，５の間に隙間が開かず、戸５０と枠１の間から火炎や煙等が侵入するのを防止できる。下框１７に取付けた金属製補助材６２は、内周側の見込面にも熱膨張性耐火材６６が設けてあり、火災時にはこの熱膨張性耐火材６６が発泡して金属框５９とタイト材５２間の隙間を塞ぐ。金属製補助材６２は、戸５０を閉めた状態ではタイト材５２で隠れるため、目立ちにくい。
枠１のタイト材５２は、焼結クロロプレンゴムで形成した不燃性タイト材のため、火災時に硬化して亀裂が生ずることがあるが、本ドアはタイト材５２の周囲を囲むように枠１の内周側見込面１ａに熱発泡性の耐火材５３が設けてあり、図１５に示すように、火災時にはこの耐火材５３が発泡してタイト材５２に当接し、タイト材５２の亀裂が生じた部分を発泡した耐火材５３が埋めるため、タイト材５２の亀裂が生じた部分から火炎や煙等が侵入するのを阻止できる。
【００２７】
本発明は以上に述べた実施形態に限定されない。障子の開き方は任意であり、引違いや内倒しに限らず、すべり出し窓や突き出し窓、回転窓等とすることもできる。また、障子を枠に固定した嵌め殺し窓や、枠の内周側にガラス溝を形成し、複層ガラスを枠に嵌め込んだ嵌め殺し窓であってもよい。框や樹脂カバーの断面形状は、適宜変更することができる。グレチャンの形状や材質は任意である。本発明は、サッシや勝手口ドアに限らず、玄関ドア、カーテンウォール等、あらゆる建具に適用することができる。
【符号の説明】
【００２８】
１  枠
２  外障子
３  内障子
１６ａ，１６ｂ  上框
１７ａ，１７ｂ  下框
１８ａ，１８ｂ  戸先框
１９ａ，１９ｂ  召合せ框
２０  ガラス溝
２１  複層ガラス
２２  グレチャン
２３ａ，２３ｂ  ガラス
２６ａ，２６ｂ，２６ｃ，２６ｄ  金属框
２７ａ，２７ｂ，２７ｃ，２７ｄ  樹脂カバー
２８ａ，２８ｂ  係合部
２９ａ，２９ｂ  被係合部
３１  ガラス間口補強材（補強材）
３４ａ，３４ｂ，３４ｃ，３４ｄ，３４ｅ，３４ｆ，３４ｇ，３４ｈ  熱発泡性耐火材
４４  下框、４４ａ  室外側形材（金属框）、４４ｂ  室内側形材（金属框）
４９  樹脂カバー
５０  戸
５２  タイト材
５９  金属框
６０  樹脂カバー
５３，５５，６１，６６  熱発泡性耐火材
【図１】
2015057540.tif 000003
【図２】
2015057540.tif 000004
【図３】
2015057540.tif 000005
【図４】
2015057540.tif 000006
【図５】
2015057540.tif 000007
【図６】
2015057540.tif 000008
【図７】
2015057540.tif 000009
【図８】
2015057540.tif 000010
【図９】
2015057540.tif 000011
【図１０】
2015057540.tif 000012
【図１１】
2015057540.tif 000013
【図１２】
2015057540.tif 000014
【図１３】
2015057540.tif 000015
【図１４】
2015057540.tif 000016
【図１５】
2015057540.tif 000017